(57)【要約】【課題】  ささくれが目に入ったり、足に刺さったりすることなく、安全性が高く、竹製竹刀と同様な使用感が得られる紙製竹刀を提供する。【解決手段】  ダンボール古紙等の再生紙の原紙で平巻状に巻かれた平巻紙管を、縦割りにして得られた複数の縦割紙管片１１，１１，１１，１１には、強化剤が含浸されて強度が確保されており、この複数の縦割紙管片１１，１１，１１，１１を組み立てて、反発力および耐久性が竹製と同等な紙製竹刀１が構成されている。【選択図】  図１
2005334288.tif 000002
【特許請求の範囲】
【請求項１】
再生紙の原紙で平巻状に巻かれた紙管を、縦割りして得られた複数の縦割紙管片で構成されていることを特徴とする紙製竹刀。
【請求項２】
前記複数の縦割紙管片には、強化剤が含浸されていることを特徴とする請求項１に記載の紙製竹刀。
【請求項３】
再生紙の原紙を平巻状に巻いて平巻紙管を製造する工程と、前記平巻紙管を縦方向に切断して複数の縦割紙管片を得る工程と、前記縦割紙管片に強化剤を含浸させる工程を含むことを特徴とする紙製竹刀の製造方法。
【請求項４】
前記縦割紙管片に強化剤を含浸させる工程を、真空条件下で行うことを特徴とする請求項３に記載の紙製竹刀の製造方法。
【発明の詳細な説明】
【技術分野】
【０００１】
本発明は、紙製の竹刀およびその製造方法に関するものである。
【背景技術】
【０００２】
従来、剣道に使用されている竹刀は、主として東南アジア製の竹が使用されている。
なお、従来の竹刀は、例えば特許文献１に開示されているようなものがある。
【特許文献１】特開平９−０１０３７１号公報
【発明の開示】
【発明が解決しようとする課題】
【０００３】
従来の東南アジア製の竹を使用した竹刀は、竹質が悪く、使用している時に、竹のささくれが目に入ったり、足に刺さったりして怪我が多発しており、そのため剣道人口が減少しているのが現実である。
【課題を解決するための手段】
【０００４】
本発明は上記従来の問題点に鑑み案出したものであって、ささくれが目に入ったり足に刺さったりすることがなく、安全性に優れた竹刀を提供せんことを目的とし、その請求項１は、再生紙の原紙で平巻状に巻かれた紙管を、縦割りして得られた複数の縦割紙管片で構成されている紙製竹刀である。
また請求項２は、前記複数の縦割紙管片には、強化剤が含浸されている竹刀である。
また、竹刀の製造方法は、再生紙の原紙を平巻状に巻いて平巻紙管を製造する工程と、前記平巻紙管を縦方向に切断して複数の縦割紙管片を得る工程と、前記縦割紙管片に強化剤を含浸させる工程を含むことを特徴とするものである。
また請求項４は、前記縦割紙管片に強化剤を含浸させる工程を、真空条件下で行うことである。
【発明の効果】
【０００５】
本発明の紙製竹刀は、再生紙の原紙で平巻状に巻かれた紙管を縦割りして得られた複数の縦割紙管片で構成されていることにより、紙製であるため、従来のように、竹のささくれが目に入ったり足に刺さったりして怪我をすることがない。
また、再生紙を用いて製造することができ、溶かして再利用も可能であり、環境に優しいものとなり、また、平巻状に巻いて紙管とすることで縦方向の強度が得られ、従来の竹製竹刀と同等の使用状態が得られるものとなる。
【０００６】
また、複数の縦割紙管片には強化剤が含浸されていることにより、強化剤により強度が増し、しかも耐久性に優れたものとなり、竹製と同等の反発力，耐久性が得られるものとなる。
【０００７】
また、紙製竹刀の製造方法は、再生紙の原紙を平巻状に巻いて平巻紙管を製造する工程と、平巻紙管を縦方向に切断して複数の縦割紙管片を得る工程と、縦割紙管片に強化剤を含浸させる工程を含むこととしたため、再生紙を利用して平巻状に巻いて縦方向の強度のある紙管を作り、この紙管を４分割等に縦方向に分割して、例えば４本の縦割紙管片を得て、この縦割紙管片に強化剤を含浸させることで、各縦割紙管片の強度および耐圧性等を強化させることができ、竹製の竹刀と同等の反発力と耐久性が得られるものとなる。
【０００８】
また、縦割紙管片に強化剤を含浸させる工程を真空条件下で行うこととしたため、各縦割紙管片の内部に、強化剤を確実に全域に亘り含浸させて、縦割紙管片の強度を確実に向上させることができるものとなる。
【実施例】
【０００９】
以下、本発明の実施例を図面に基づいて説明する。
図１は、紙製竹刀の斜視構成図であり、紙製竹刀１は、複数本の縦割紙管片１１を合わせて構成されており、外周に皮を被せた柄部３を備え、先端側には先端キャップ４が被せられ、途中には、皮製の紐で複数の縦割紙管片１１を結んだ結び部５が形成されている。
【００１０】
このような紙製竹刀１は、図２に概略図で示すような紙管製造装置で製造されるものである。
図２において、例えばダンボール古紙を原料とするロール状の原紙６を、徐々にテーブル７上に引き出してゆき、原紙６をカッター８で所定寸法に切断して、平板状の平原紙６ａを得て、この平原紙６ａを、芯棒９を回転させながら、芯棒９の外周に糊を付けながら巻き付けてゆき、平巻紙管１０を得ることができる。
【００１１】
なお、この平巻紙管１０は、引き出される原紙６の繊維の方向に対し、９０度交差する方向に芯棒９で巻き取られるため、得られた平巻紙管１０の繊維の方向は縦方向となり、平巻紙管１０は強度が大な紙管となる。
【００１２】
このようにして得られた平巻紙管１０を、図３に示すように、縦方向に切断線Ｃ，Ｃで４つに割って、４本の縦割紙管片１１，１１，１１，１１を得ることができる。
【００１３】
この４つに割られた各縦割紙管片１１は、図４に示すように、柄部３および先端側が竹刀の形に荒削りされて、傾斜部１１ａが形成され、この傾斜部１１ａの外側は荒削りにより削り取られる削取部Ｓとなっている。
また、竹の節に該当する節部材１２を、別途各縦割紙管片１１に貼り付け等しておくことができる。なお、この節部材１２も紙製で構成することができる。
【００１４】
更に、削取部Ｓが削り取られた柄部３および先端４側は、面取り加工して鋭角部分を除去し、更に研磨仕上げして平滑な面にして、図５のように各縦割紙管片１１を仕上げる。
【００１５】
その後に、仕上げられた各縦割紙管片１１を、図６に示すような含浸装置２０内に入れて含浸処理を行う。
即ち、含浸装置２０は、タンク２１内に、強化剤で構成される含浸液２３を入れ、複数の縦割紙管片１１を含浸液２３内に浸した状態で内部に入れて、上方の蓋２２を閉め、蓋２２に接続されている排気管２４を介し、真空ポンプ２５でタンク２１内の空気を排気させて、タンク２１内をほぼ真空状態として、強力に各縦割紙管片１１の内部組織内に含浸液２３を含浸させることができるものである。
なお、含浸液２３は、例えばフェノールメタノールや、牛乳の脱脂粉乳から得られるカゼイン糊等であるが、その他、溶かして再生できるような樹脂で構成される。
【００１６】
このように、各縦割紙管片１１の内部組織に強化剤が含浸されることにより、竹とほぼ同等の強度が得られて、竹と同様な反発力および耐久性が付与されるものとなる。
このようにして含浸処理した後に、各縦割紙管片１１を更に研磨仕上げし、更に、再度全体を含浸処理する等して、更に強度を向上させることもできるものであり、このようにして仕上げた各縦割紙管片１１を、図１のように組み立てて紙製竹刀１が完成される。
【００１７】
このようにして得られた紙製竹刀１は、紙製であるため、使用している時に、従来のように、竹のささくれが目に入ったり足に刺さったりして怪我をすることがなく、安全であり、しかも竹とほぼ同等の反発力等の強度が確保されており、竹製とほぼ同等の使用感が得られて、打ち込んだ際の打撃音も竹製の竹刀とほぼ同等なものであり、良好な使用状態が得られるものとなる。
【図面の簡単な説明】
【００１８】
【図１】紙製竹刀の組立状態の全体斜視構成図である。
【図２】原紙から平巻紙管を得る作業工程斜視図である。
【図３】得られた平巻紙管を縦割りして４分割した状態の斜視構成図である。
【図４】縦割りされた縦割紙管片を荒削りして型取りした要部斜視構成図である。
【図５】更に面取り加工した後の縦割紙管片の全体構成図である。
【図６】縦割紙管片をタンク内に入れて強化剤を含浸させる工程図である。
【符号の説明】
【００１９】
１  紙製竹刀
３  柄部
４  先端キャップ
５  結び部
６  原紙
６ａ  平原紙
７  テーブル
８  カッター
９  芯棒
１０  平巻紙管
１１  縦割り紙管片
１１ａ  傾斜部
１２  節部材
２０  含浸装置
２１  タンク
２２  蓋
２３  含浸液（強化剤）
２４  排気管
２５  真空ポンプ
【図１】
2005334288.tif 000003
【図２】
2005334288.tif 000004
【図３】
2005334288.tif 000005
【図４】
2005334288.tif 000006
【図５】
2005334288.tif 000007
【図６】
2005334288.tif 000008